(57)【要約】【課題】フックに吊下げても開封することがなく陳列可能であり、陳列しているときは開封を困難とすることによって内容物の改竄を防止し、さらに開封後は容易に再封緘することができるようにした包装用箱を提供する。【解決手段】箱体の正面の上方に上蓋片と上蓋差込片とを有し、箱体の天面に上蓋差込片を差し込むことによって該天面を再封緘可能とする一方、箱体の背面の上方に切離折曲線を介して延長された上蓋フラップと、該上蓋フラップに折曲線を介して延長された差込係止片とを有し、箱体の正面の上縁に案内スリットが切開され、箱体の背面の上部には押込片が切離し可能に設けられ、箱体の天面を再封緘した上蓋片の上方に上蓋フラップを被せるようにして差込係止片を案内スリットに差し込んだとき、該差込係止片の両端の爪部が案内スリットの各拡径傾斜部の上部に形成された夫々の係止突起に係止されることによって上蓋フラップを閉止する。【選択図】図１
2011230837.tif 000002
【特許請求の範囲】
【請求項１】
箱体の周部を構成する正面と背面と左右の側面と、開閉可能な天面と、閉塞可能な底面とを有する包装用箱において、
箱体の正面の上方に折曲線を介して延長された上蓋片と該上蓋片に折曲線を介して延長された上蓋差込片とを有し、箱体の開放された天面に上蓋差込片を差し込むことによって該天面を上蓋片で開閉可能とする一方、
箱体の背面の上方に切離しを可能とする切離折曲線を介して延長された上蓋フラップと該上蓋フラップに折曲線を介して延長された差込係止片とを有し、この差込係止片と上蓋フラップとの境界をなす折曲線の両端には互いに内側方向へ切り込まれた切込溝が形成されると共に、各切込溝の上部に差込係止片の両端を突出してなる爪部が形成され、
箱体の正面の上縁における中央部には差込係止片を差し込み可能にした案内スリットが切開されると共に、該案内スリットの両端には下方へ拡開された拡開傾斜部が形成される一方、箱体の背面の上部には切離折曲線の略中央に所定幅で連設されてなる押込片が切離し可能に設けられてなり、
箱体の天面を封緘した上蓋片の上方に上蓋フラップを被せるようにして差込係止片を案内スリットに差し込んだとき、該差込係止片の両端の爪部が案内スリットの各拡径傾斜部の上部に形成された夫々の係止突起に係止されることによって上蓋フラップを閉止するようにしたことを特徴とする包装用箱。
【請求項２】
上蓋フラップの面内に折曲線を有して折り畳み可能に形成された吊下片の先端が押込片との境界をなす切離折曲線に一致すると共に、吊下片の内部に吊下孔が形成されていることを特徴とする請求項１記載の包装用箱。
【請求項３】
箱体の天面を上蓋片で閉塞すると共に該上蓋片の上方を上蓋フラップで閉塞した状態で、押込片が上蓋差込片に接着されていることを特徴とする請求項１又は２記載の包装用箱。
【発明の詳細な説明】
【技術分野】
【０００１】
本発明は、箱体に収容した物品の改竄を防止すると共に、容易に再封緘することができる包装用箱に関する。
【背景技術】
【０００２】
従来から、物品を包装用箱に収納して店頭に陳列する際、又は商品の流通過程において、包装用箱に収容した物品の改竄を防止したり、包装用箱の開封を防止するために、蓋部と箱本体との間にシールを貼り付けることが行われている。しかしながら、このようなシールの貼り付け作業には手間がかかるため、箱体に収容物品の改竄等を防止し得る構造を具備するようにした包装用箱が開発されている。
【０００３】
その例として、特許文献１を参照する。この文献に記載されている「再封鎖不能なカートン」の構造は、上方の蓋部先端に設けられた差し込み片の左右にフックが形成され、カートン本体の正面側壁の上部にスリットが設けられているものである。このスリットは、主スリットと補助スリットを有し、さらに補助スリットにつながる複数の弱め線が設けられている。このような構造においては、差し込み片をスリットに挿入すると、差し込み片の左右のフックが係止され、差し込み片を抜き出すには弱め線を破断しなければ抜き出すことができない構成とされている。
【０００４】
しかしながら、上記の特許文献１の構造は、主スリット、補助スリット、複数の弱め線等を有するため、構造が複雑であるほか、弱め線が容易に破断する。このため、物品を改竄する意図のない客が商品に触れているときであっても、不意に弱め線を破断して、箱体が損傷するという不都合が生じるおそれがある。
【０００５】
また、特許文献２には、箱体の上蓋フラップに係合体が設けられ、この係合体に形成された穴をフックに挿入することによって、箱体を吊り下げる構造が記載されている。ところで、この上蓋フラップの係合体を立ち上げると、この係合体は背板の面の延長上に突出した状態となるため、係合体をフックに吊下げた場合のように、係合体を引張る力が作用したときでも、上蓋フラップを開くような力が働くことがない。
【０００６】
ところが、後述するように、本発明の上蓋フラップに設けられる吊下片は、上蓋フラップから立ち上げたとき、上蓋フラップの略中央から立ち上がった状態となるため、箱体の内部に重い物品を収容した際、自重によって、上蓋フラップが開く方向に作用する。このため、本発明の包装用箱は、後述するように、上蓋フラップを開かせる動作を止める機能が必要となるが、引用文献２は、上蓋フラップの係合体が上記のように構成されているため、そのような機能は設けられていない。
【先行技術文献】
【特許文献】
【０００７】
【特許文献１】実用新案登録第３１４２４７１号公報
【特許文献２】特開２００６−１６０３３４号公報
【発明の概要】
【発明が解決しようとする課題】
【０００８】
本発明は、上記の事情に鑑みてなされたものであり、フックに吊下げても開封することがなく陳列可能であり、陳列しているときは開封を困難とすることによって内容物の改竄を防止し、さらに開封後には容易に再封緘することができるようにした包装用箱を提供することを目的とする。
【課題を解決するための手段】
【０００９】
上記の課題を解決するために、本発明における請求項１の包装用箱は、箱体の周部を構成する正面と背面と左右の側面と、開閉可能な天面と、閉塞可能な底面とを有する包装用箱において、箱体の正面の上方に折曲線を介して延長された上蓋片と該上蓋片に折曲線を介して延長された上蓋差込片とを有し、箱体の開放された天面に上蓋差込片を差し込むことによって該天面を上蓋片で開閉可能とする一方、箱体の背面の上方に切離しを可能とする切離折曲線を介して延長された上蓋フラップと該上蓋フラップに折曲線を介して延長された差込係止片とを有し、この差込係止片と上蓋フラップとの境界をなす折曲線の両端には互いに内側方向へ切り込まれた切込溝が形成されると共に、各切込溝の上部に差込係止片の両端を突出してなる爪部が形成され、箱体の正面の上縁における中央部には差込係止片を差し込み可能にした案内スリットが切開されると共に、該案内スリットの両端には下方へ拡開された拡開傾斜部が形成される一方、箱体の背面の上部には切離折曲線の略中央に所定幅で連設されてなる押込片が切離し可能に設けられてなり、箱体の天面を封緘した上蓋片の上方に上蓋フラップを被せるようにして差込係止片を案内スリットに差し込んだとき、該差込係止片の両端の爪部が案内スリットの各拡径傾斜部の上部に形成された夫々の係止突起に係止されることによって上蓋フラップを閉止するようにしたことを特徴とする。
【００１０】
また、本発明における請求項２の包装用箱は、請求項１において、上蓋フラップの面内に折曲線を有して折り畳み可能に形成された吊下片の先端が押込片との境界をなす切離折曲線に一致すると共に、吊下片の内部に吊下孔が形成されていることを特徴とする。
【００１１】
さらに、本発明における請求項３の包装用箱は、請求項１又は２において、箱体の天面を上蓋片で閉塞すると共に該上蓋片の上方を上蓋フラップで閉塞した状態で、押込片が上蓋差込片に接着されていることを特徴とする。
【発明の効果】
【００１２】
本発明の包装用箱において、箱体の正面の上方に折曲線を介して延長された上蓋片と該上蓋片に折曲線を介して延長された上蓋差込片とを有し、箱体の開放された天面に上蓋差込片を差し込むことによって該天面を上蓋片で開閉自在とすることにより、再封緘が可能とされている。
【００１３】
また、箱体の天面を封緘した上蓋片の上方に上蓋フラップを被せるようにして差込係止片を案内スリットに差し込んだとき、該差込係止片の両端の爪部が案内スリットの各拡径傾斜部の上部に形成された夫々の係止突起に係止されることによって、上蓋フラップを閉止した状態にすることができる。
【００１４】
また、上蓋フラップの面内に折り畳み可能に形成された吊下片を設けることにより、該吊下片に形成された吊下孔を商店等に設けられた陳列台等のフックに挿通して、該フックに吊下げた状態で陳列をすることが可能となる。さらに、吊下片を上蓋フラップに折り畳んだ状態にしたときは、外箱等に省スペースで収納することが可能となる。また、包装用箱を陳列台等に載置するときは、吊下片を折り畳んだ状態で陳列することも可能である。
【００１５】
また、上記の構成において、差込係止片の各爪部を夫々の係止突起に係止することにより、吊下片の吊下孔をフックに吊下げた際に、箱体に収容した内容物の重量が箱体に作用しても、上蓋フラップが箱体の自重で開くのを防止し、吊下片がフックに吊下げられた状態を綺麗に維持することが可能となる。
【００１６】
さらに、本発明による包装用箱において、箱体を組み立てた後に、押込片を押し込むことによって、その押圧力で押込片の周囲の切離線が切断される。そして、押込片をさらに押し上げることにより、上蓋フラップと背面とを繋いでいる切離折曲線が切断され、上蓋フラップが背面から離脱し、この上蓋フラップと上蓋片とが共に持ち上げられることによって、箱体の天面を開放状態とすることができる。
【００１７】
さらに、上記のように背面から離脱された上蓋フラップの爪部を係止突起の係止状態から解除すると、上蓋フラップが自由になって案内スリットから取り出すことが可能となる。このようにして上蓋フラップを取り出すと、箱体の天面は上蓋片のみで閉塞された状態となる。この箱体の天面を閉塞している上蓋片は、上記のようにその先端に折曲線を介して上蓋差込片を有し、箱体の天面を開閉することが可能とされ、これによって再封緘が可能となる。
【００１８】
さらに、本発明において、案内係止片の内側に設けられた差込係止片の上部を指で押圧することによって、上蓋フラップを無理に開けようとすると、差込係止片の両端の爪部が各係止突起の上部に引っ掛かるため、差込係止片を外方へ離脱することが不可能となる。また、この差込係止片を無理に押圧して取り出そうとすると、両側の係止突起の上方が破断するため、上蓋片に亀裂が生じ、無理に上蓋フラップを開けようとしたことが露呈され、悪意の客に対して改竄防止の機能を奏することが可能となる。
【００１９】
また、本発明において、背面の押込片を上蓋差込片に接着した状態にすると、押込片を指先等で押込むことによって、該押込片が切離線で切離された後、この押込片が上蓋片の差込片に一体的に付着された状態で開封される。従って、押込片が単独で切り離され、箱体から離れてゴミとなるようなことがなく、衛生管理上においても有益となる。
【図面の簡単な説明】
【００２０】
【図１】本発明の包装用箱に係る箱体の展開図である。
【図２】本発明の包装用箱に係る箱体の底面図である。
【図３】本発明の包装用箱に係る箱体の組立て斜視図であり、（ａ）は天面を開放した状態、（ｂ）は箱体の天面を上蓋片で閉塞した状態、（ｃ）は箱体の天面を閉塞した上蓋片のさらに上方に上蓋フラップを被せた状態、(ｄ)は上蓋フラップの吊下片を立ち上げてフックを吊下孔に挿通した状態を示す。
【図４】本発明の包装用箱に係る箱体の組立て後の斜視図であり、（ａ）は押込片を指で押し込んでいる状態、（ｂ）は押込片を押し込むことによって該押込片を背面から切離し、上蓋フラップと上蓋片と共に持ち上げて箱体の天面を開放状態にしている状態、（ｃ）は上蓋フラップを案内係止片から取り外している状態、  (ｄ)は上蓋片で箱体の天面を閉塞した状態を示す。
【図５】本発明の改竄防止機能を説明するための斜視図であり、（ａ）は案内係止片の内側の差込係止片を指で押圧することによって、上蓋フラップを無理に開けようとしている状態、（ｂ）は上蓋フラップを無理に開けることによって係止突起の上方が破断した状態を示す。
【発明を実施するための形態】
【００２１】
以下、本発明の実施例について図面を参照しながら説明する。
【実施例１】
【００２２】
本実施例の包装用箱は、図１の展開形状に示すように、箱体１の周部を構成する正面２と背面３と右側面４と左側面５と、開閉可能な天面６と、閉塞可能な底面７とを有する。このような構成において、本実施例では、正面２の側部に糊代側片８が形成され、この糊代側片８を含む各面は夫々の境界に折曲線９、９…を形成してあり、各折曲線９、９…で折り曲げると共に、糊代側片８を左側面５に接着することにより、図３(ａ)に示すように、横断面矩形の箱体１が形成される。
【００２３】
また、箱体１の底面７の構造としては、図１の展開形状に示すように、正面２と背面３の夫々の下方に折曲線１１、１１…を介して左右同形状の底蓋形成片１２ａ、１２ｂが形成されている。各底蓋形成片１２ａ、１２ｂには、図２に示すように箱体１の底面７の対角線を半分ごとに仕切る半対角線１３ａ、１３ｂが設けられ、夫々の半対角線１３ａ、１３ｂが設けられていない側は、箱体１の底面７の略中心をなす位置に角部１４ａ、１４ｂを形成すると共に外方へ延長してなる延長部１５ａ、１５ｂが形成されている。
【００２４】
また、両方の底蓋形成片１２ａ、１２ｂは、夫々の半対角線１３ａ、１３ｂの略中央と夫々の折曲線１１、１１の端部とを結ぶ線を折曲可能線１６ａ、１６ｂとして形成し、この折曲可能線１６ａ、１６ｂから外方に形成された部位は側部を少し切除して糊代底片１７ａ、１７ｂとしている。
【００２５】
さらに、図１に示すように、箱体１の右側面４と左側面５の夫々の下方には折曲線１１、１１を介して底蓋側片１８ａ、１８ｂが形成されている。
【００２６】
上記の構成により、図２に示すように、箱体１の底面７は、箱体１の右側面４側と左側面５側の夫々の底蓋側片１８ａ、１８ｂと、箱体１の正面２側と背面３側の夫々の底蓋形成片１２ａ、１２ｂとを、各折曲線１１、１１…で底面７の内側へ折り曲げると共に、夫々の角部１４ａ、１４ｂ同士を接合した状態で各延長部１５ａ、１５ｂを対接する半対角線１３ａ、１３ｂの下方側へ敷いた状態にする。また、各糊代底片を対接する底蓋側片１８ａ、１８ｂに糊剤等で接着すると、図２に示す底面７の構成となり、図３（ａ）に示すように箱体１の周部を矩形の形状にした箱形状とすることができる。
【００２７】
このような箱体１の底面７の構造によれば、夫々の角部１４ａ、１４ｂが離間する方向へ箱体１を潰すと、夫々の折曲可能線１６ａ、１６ｂで折曲されると共に、各底蓋形成片１２ａ、１２ｂと各底蓋側片１８ａ、１８ｂとが内側へ折り込まれて、箱体１を平状に潰した状態にすることができる。このように、箱体１を潰した状態にすると、箱体１の収納、保管及び運搬を省スペースで行うことが可能となる。また、上記のように潰した箱体１の底面７を矩形に展開すると、夫々の角部１４ａ、１４ｂ同士が当接した時点で、底面７を矩形の状態に保つことができる。
【００２８】
次いで、本実施例の箱体１の天面６側の構成について述べる。図１に示すように、箱体１の正面２の上方に折曲線１９を介して延長された矩形の上蓋片２０と該上蓋片２０に折曲線２２を介して延長された上蓋差込片２１とが形成されている。なお、上蓋差込片２１の両端部は差込み作業を行い易くするため、湾曲形状２１ａ、２１ｂに形成されている。また、箱体１の右側面４と左側面５の夫々の上方には、折曲線１９、１９を介して上蓋側片２３ａ、２３ｂが折曲げ自在に形成されている。
【００２９】
このような構成において、図３（ａ）、（ｂ）に示すように、上蓋片２０と上蓋差込片２１とを夫々の折曲線１９、１９で折り曲げて、上蓋差込片２１を箱体１の開放された天面６内に差し込むことによって、箱体１の天面６を上蓋片２０で封緘することが可能となる。また、この上蓋片２０と上蓋差込片２１とは、箱体１の天面６から引き出すことによって、箱体１の天面６を開放するというように、箱体１の内部の物品を取り出したり、収容したりする際に、天面６の開閉を繰り返して行うことができる再封緘可能な構成とされている。
【００３０】
一方、図１において、箱体１の背面３の上方に、ミシン目等の形成によって切離しを可能にされた切離折曲線２４を介して上方へ延長された上蓋フラップ２５と該上蓋フラップ２５に折曲線２６を介して延長された差込係止片２７とが設けられている。この差込係止片２７には上蓋フラップ２５との境界をなす折曲線２６の両端に互いに内側方向へ切り込まれた切込溝３５ａ、３５ｂが形成されると共に、各切込溝３５ａ、３５ｂの上部に差込係止片２７の両端を突出してなる爪部２７ａ、２７ｂが形成されている。
【００３１】
また、箱体１の正面２の上縁における中央部には差込係止片２７を略同幅で差し込み可能にした案内スリット２８が切開されると共に、該案内スリット２８の両端には下方へ傾斜状に拡開され、各端部が湾曲形成された拡開傾斜部２９ａ、２９ｂが形成されている。
【００３２】
また、箱体１の背面３の上部には切離折曲線２４の略中央に所定幅で連設されてなる押込片３０がミシン目等による切離線３１によって切離し可能に設けられている。
【００３３】
上記の構成により、図３（ｂ）、(ｃ)に示すように、箱体１の天面６を封緘した上蓋片２０の上方に上蓋フラップ２５を被せるようにして差込係止片２７を案内スリット２８に差し込んだとき、該差込係止片２７の両端の爪部２７ａ、２７ｂが案内スリット２８の各拡径傾斜部２９ａ、２９ｂの上部に形成された夫々の係止突起３０ａ、３０ｂに係止される。これによって上蓋フラップ２５を閉止した状態にすることができる。
【００３４】
本発明は、上記の構成において、図１に示すように、上蓋フラップ２５の面内に折曲線３２を有して折り畳み可能に形成された吊下片３３の先端が押込片３０との境界をなす切離折曲線２４に一致すると共に、吊下片３３の内部に吊下孔３４が形成されている構成とすることも可能である。このような構成により、図３(ｄ)に示すように、吊下片３３の吊下孔３４に商店等に設けられた陳列台等のフックＦに挿通して、該フックＦに吊下げた状態で陳列をすることが可能となる。
【００３５】
また、上記の構成において、上蓋フラップ２５に吊下片３３が折り畳み可能に設けられた場合、図３(ｃ)に示すように、吊下片３３を上蓋フラップ２５に折り畳んだ状態にしたとき、不図示の外箱等に省スペースで収納することが可能となる。また、陳列台等に載置するときは、吊下片３３を折り畳んだ状態で陳列することも可能である。
【００３６】
また、差込係止片２７の各爪部２７ａ、２７ｂが夫々の係止突起３０ａ、３０ｂに係止されるという機能は、箱体１内に収容した物品を不正に取り替える等の改竄を防止する機能となるほか、上蓋フラップ２５の開封防止機能をも兼ねる。
【００３７】
即ち、吊下片３３の吊下孔３４をフックＦに吊下げた際、箱体１に収容した内容物の重量が箱体１に作用しても、上蓋フラップ２５が箱体１の自重で開くのを防止し、吊下片３３がフックＦに吊下げられた状態を維持することが可能となる。
【００３８】
さらに、本実施例の包装用箱に係る箱体１の使用形態について説明する。図４（ａ）は箱体１の押込片３０を指で押し込んでいる状態を示すものである。このように押込片３０を押し込むことによって、その押圧力で押込片３０の周囲の切離線３１が切断される。また、図４(ｂ)に示すように、押込片３０が背面３から切離された状態でさらに押し上げると、上蓋フラップ２５と背面３とを繋いでいる切離折曲線２４が切断されることによって、上蓋フラップ２５が背面３から離脱する。次いで、この上蓋フラップ２５と上蓋片２０とが共に持ち上げられることによって、箱体１の天面６が開放状態となる。
【００３９】
さらに、図４（ｃ）は上蓋フラップ２５を案内係止片２９から取り外している状態を示すものである。上記のように背面３から離脱された上蓋フラップ２５の爪部２７ａ、２７ｂを係止突起３０ａ、３０ｂの係止状態から解除すると、上蓋フラップ２５が自由になって案内スリット２８から取り出すことが可能となる。このようにして上蓋フラップ２５を取り出すと、図４(ｄ)に示すように、箱体１の天面６は上蓋片２０のみで閉塞された状態となる。この箱体１の天面６を閉塞している上蓋片２０は、上記のようにその先端に折曲線２２を介して上蓋差込片２１を有し、箱体１の天面６を開閉することが可能であり、これによって再封緘が可能とされている。
【００４０】
次に、本実施例の箱体１に収容した物品の改竄防止機能について図５を参照しながら説明する。図５（ａ）は案内係止片２９の内側に設けられた差込係止片２７の上部を指で押圧することによって、上蓋フラップ２５を無理に開けようとしている状態を示す。この際、案内係止片２９を下方へ折曲げることによって差込係止片２７をより大きく露呈した後、この差込係止片２７を押圧することによって、上蓋フラップ２５を無理に開けようとすると、差込係止片２７の両端の爪部２７ａ、２７ｂが各係止突起３０ａ、３０ｂの上部に引っ掛かるため、差込係止片２７を外方へ離脱することが不可能となる。また、この差込係止片２７を無理に押圧して取り出そうとすると、両側の係止突起３０ａ、３０ｂの上方が破断するため、上蓋片２０に亀裂が生じ、無理に上蓋フラップ２５を開けようとしたことが露呈される。
【実施例２】
【００４１】
本発明においては、図３（ｂ）に示すように、箱体１の天面６に上蓋片２０の上蓋差込片２１を差し込んで閉塞した際、図４（ａ）、(ｂ)に示すように、背面３の押込片３０を上蓋差込片２１の上面に接着剤等の貼り付けた後に、上蓋片２０の上方を上蓋フラップ２５で閉塞した構成とすることも可能である。
【００４２】
上記のように、背面３の押込片３０を上蓋差込片２１の上面に接着した構成にすることにより、図４(ｂ)に示すように、押込片３０を指先等で押込むことによって、該押込片３０が切離線３１で切離された際、押込片３０が上蓋片２０の差込片に一体的に付着された状態で開封される。従って、押込片３０が単独で切り離され、箱体１から離れてゴミとなるようなことがなく、衛生管理上においても有益となる。
【産業上の利用可能性】
【００４３】
本発明のフィルム包装装置は、フックに吊下げても開封することがなく陳列可能であり、陳列しているときは開封を困難とすることによって内容物の改竄を防止し、さらに開封後は容易に再封緘することができるようにした包装用箱として利用可能である。
【符号の説明】
【００４４】
１  箱体
２  正面
３  背面
４  右側面
５  左側面
６  天面
７  底面
８  糊代側片
９  折曲線
１１  折曲線
１２ａ、１２ｂ  底蓋形成片
１３ａ、１３ｂ  半対角線
１４ａ、１４ｂ  角部
１５ａ、１５ｂ  延長部
１６ａ、１６ｂ  折曲可能線
１７ａ、１７ｂ  糊代底片
１８ａ、１８ｂ  底蓋側片
１９  折曲線
２０  上蓋片
２１  上蓋差込片
２１ａ、２１ｂ  湾曲形状
２２  折曲線
２３ａ、２３ｂ  上蓋側片
２４  切離折曲線
２５  上蓋フラップ
２６  折曲線
２７  差込係止片
２７ａ、２７ｂ  爪部
２８  案内スリット
２９  案内係止片
２９ａ、２９ｂ  拡開傾斜部
３０  押込片
３０ａ、３０ｂ  係止突起
３１  切離線
３２  折曲線
３３  吊下片
３４  吊下孔
３５ａ、３５ｂ  切込溝
Ｆ  フック
【図１】
2011230837.tif 000003
【図２】
2011230837.tif 000004
【図３】
2011230837.tif 000005
【図４】
2011230837.tif 000006
【図５】
2011230837.tif 000007